(57)【要約】【課題】血管の石灰化が発生している場合でも、血管の状態を適切に判定するための指標を出力する指標出力方法を提供する。【解決手段】血管の状態を判定するための指標を出力する指標出力方法は、取得ステップ、算出ステップおよび出力ステップを有する。取得ステップは、生体の上肢および下肢それぞれについて最低血圧を取得する。算出ステップは、取得ステップにおいて取得された上肢の最低血圧に対する下肢の最低血圧の比を算出する。出力ステップは、算出ステップにおいて算出された最低血圧の比を出力する。【選択図】図４
2016214303.tif 000002
【特許請求の範囲】
【請求項１】
血管の状態を判定するための指標を出力する指標出力方法であって、
生体の上肢および下肢それぞれについて最低血圧を取得する取得ステップと、
前記取得ステップにおいて取得された上肢の最低血圧に対する下肢の最低血圧の比を算出する算出ステップと、
前記算出ステップにおいて算出された最低血圧の比を出力する出力ステップと、
を有する指標出力方法。
【請求項２】
前記算出ステップにおいて算出された最低血圧の比に基づいて前記生体における血管の状態を判定する判定ステップをさらに有する請求項１に記載の指標出力方法。
【請求項３】
前記判定ステップは、前記算出ステップにおいて算出された最低血圧の比が、第１の閾値以下または前記第１の閾値よりも大きい第２の閾値以上であるか否かを判定することにより血管の状態を判定することを含む請求項１または請求項２に記載の指標出力方法。
【請求項４】
前記出力ステップは、前記算出ステップにおいて算出された最低血圧の比を表示することを含む請求項１〜３のいずれか一項に記載の指標出力方法。
【請求項５】
前記取得ステップは、前記生体の上肢および下肢それぞれについて、最高血圧、平均血圧および脈圧のうち少なくとも一つをさらに取得することを含み、
前記算出ステップは、上肢の最高血圧に対する下肢の最高血圧の比、上肢の平均血圧に対する下肢の平均血圧の比および上肢の脈圧に対する下肢の脈圧の比のうち少なくとも一つをさらに算出することを含み、
前記出力ステップは、前記算出ステップにおいて算出された最高血圧の比、平均血圧の比および脈圧の比のうち少なくとも一つを最低血圧の比と共に表示することを含む請求項４に記載の指標出力方法。
【請求項６】
前記判定ステップは、最高血圧の比、平均血圧の比および脈圧の比のうちの少なくとも一つと最低血圧の比とを組合せて血管の状態を判定することを含む請求項５に記載の指標出力方法。
【請求項７】
血管の状態を判定するための指標を出力する指標出力装置であって、
生体の上肢および下肢それぞれについて最低血圧を取得する取得部と、
前記取得部によって取得された上肢の最低血圧に対する下肢の最低血圧の比を算出する算出部と、
前記算出部によって算出された最低血圧の比を出力する出力部と
を有する指標出力装置。
【請求項８】
血管の状態を判定するための指標を出力する指標出力プログラムであって、
生体の上肢および下肢それぞれについて最低血圧を取得する取得ステップと、
前記取得ステップにおいて取得された上肢の最低血圧に対する下肢の最低血圧の比を算出する算出ステップと、
前記算出ステップにおいて算出された最低血圧の比を出力する出力ステップと、
をコンピューターに実行させる指標出力プログラム。
【発明の詳細な説明】
【技術分野】
【０００１】
本発明は、指標出力方法、指標出力装置および指標出力プログラムに関する。
【背景技術】
【０００２】
動脈硬化に伴う血管の狭窄や閉塞を診断するための指標として、上腕と足関節（足首）における最高血圧の比であるＡＢＩ（Ａｎｋｅｌ−Ｂｒａｃｈｉａｌ  Ｐｒｅｓｓｕｒｅ  Ｉｎｄｅｘ）が用いられる。通常、上肢の血圧よりも下肢の血圧の方が高いため、ＡＢＩの値は１．０よりも大きくなることが多い。一般的には、ＡＢＩの値が０．９〜１．４の範囲である場合、血管の状態は正常であると判定され、ＡＢＩの値が０．９以下である場合、血管の狭窄や閉塞の疑いがあると判定される。さらに特許文献１には、ＡＢＩに加えて、脈圧の比（以下、ｐｐＡＢＩと称する。）や平均血圧の比（以下、ｍＡＢＩと称する。）を考慮して血管の状態を診断する技術が開示されている。
【先行技術文献】
【特許文献】
【０００３】
【特許文献１】特開２００６−３１４６１３号公報
【発明の概要】
【発明が解決しようとする課題】
【０００４】
しかしながら、上記特許文献１記載の技術では、動脈硬化の進行や糖尿病の透析治療等によって血管の石灰化が発生している場合には、最高血圧、平均血圧、脈圧を適切に測定できないために、血管の状態を適切に判定できないという問題がある。
【０００５】
まず、最高血圧は、平均血圧が取得された際の脈波振幅の最大値に基づいて取得される。具体的には、脈波振幅の最大値から所定の割合を差し引いた大きさの脈波振幅が、最高血圧時の脈波振幅として算出される。所定の割合は、測定機器の構成や測定環境等の各種条件に応じた値を適宜設定できる。カフ圧の変化に伴って変化する脈波振幅が、最大値となった後、算出された最高血圧時の脈波振幅まで下がった時点のカフ圧が、最高血圧として取得される。ここで、血管の石灰化が発生している場合、血管の柔軟性や弾性が損なわれていることにより、カフの加圧によって血管を圧迫しても、血管が完全に閉塞しない場合がある。この場合、カフ圧を高めても脈波振幅が高い状態が維持され、最高血圧時の脈波振幅が検出されるカフ圧が高くなる。その結果、最高血圧が本来の値よりも高い値として測定されてしまう。したがって、下肢の血管において石灰化が進行している場合、下肢の最高血圧が本来よりも高く測定され、ＡＢＩの値も、本来よりも高い値として算出されてしまう。これでは、ＡＢＩを用いて血管の状態を適切に判定できず、問題となる。そして脈圧は、最高血圧と最低血圧の差分であるため、上記のように最高血圧を適切に測定できない場合、脈圧も適切に取得できず、同様に問題となる。
【０００６】
また、平均血圧の測定は、たとえば、最高血圧の測定と同様に、カフを加圧後に減圧し、脈波振幅が最大になった時点のカフ圧として測定される。ここで、血管の石灰化が発生している場合、血管の柔軟性や弾性が損なわれていることにより、カフを減圧しても脈波振幅が明確なピークを形成せず、脈波振幅が最大値付近に留まる場合がある。この場合、どの時点のカフ圧を平均血圧として取得するかの判断が難しく、平均血圧の値を適切に取得できない虞がある。これでは、ｍＡＢＩを用いて血管の状態を適切に判定できず、問題となる。
【０００７】
本願発明は上記事情に鑑みてなされたものであり、血管の石灰化が発生している場合でも、血管の状態を適切に判定するための指標を出力する指標出力方法、指標出力装置および指標出力プログラムを提供することを目的とする。
【課題を解決するための手段】
【０００８】
上記目的は、下記の手段によって達成される。
【０００９】
血管の状態を判定するための指標を出力する指標出力方法は、取得ステップ、算出ステップおよび出力ステップを有する。取得ステップは、生体の上肢および下肢それぞれについて最低血圧を取得する。算出ステップは、取得ステップにおいて取得された上肢の最低血圧に対する下肢の最低血圧の比を算出する。出力ステップは、算出ステップにおいて算出された最低血圧の比を出力する。
【００１０】
血管の状態を判定するための指標を出力する指標出力装置は、取得部、算出部および出力部を有する。取得部は、生体の上肢および下肢それぞれについて最低血圧を取得する。算出部は、取得部によって取得された上肢の最低血圧に対する下肢の最低血圧の比を算出する。出力部は、算出部によって算出された最低血圧の比を出力する。
【００１１】
血管の状態を判定するための指標を出力する指標出力プログラムは、取得ステップ、算出ステップおよび出力ステップをコンピューターに実行させる。取得ステップは、生体の上肢および下肢それぞれについて最低血圧を取得する。算出ステップは、取得ステップにおいて取得された上肢の最低血圧に対する下肢の最低血圧の比を算出する。出力ステップは、算出ステップにおいて算出された最低血圧の比を出力する。
【発明の効果】
【００１２】
本発明の指標出力装置によれば、血管の状態を判定するための指標として、上肢の最低血圧に対する下肢の最低血圧の比を算出して出力する。最低血圧の比は血管の石灰化の影響を受けにくいため、石灰化が発生している場合でも、血管の状態を適切に判定可能な指標を出力できる。
また、石灰化の影響を受けやすい最高血圧比と、影響を受けにくい最低血圧比を組み合わせて評価することにより、石灰化の程度をより正確に判定することができる。さらに、閉塞・狭窄と石灰化を１回の測定で同時に判定することができる。
【図面の簡単な説明】
【００１３】
【図１】本発明の第１実施形態に係る指標出力装置の概略構成を示す図である。
【図２】血圧値の測定方法を説明するための図である。
【図３】正常な血管および石灰化した血管における圧−血管容量曲線である。
【図４】指標出力装置における処理の手順を示すフローチャートである。
【図５】第１実施形態に係る指標出力装置で表示される画面の例を示す図である。
【図６】最低血圧の比と最高血圧の比とを組合せて表示する画面の例を示す図である。
【図７】最低血圧の比と平均血圧の比とを組合せて表示する画面の例を示す図である。
【図８】最低血圧の比と脈圧の比とを組合せて表示する画面の例を示す図である。
【図９】図６に示す画面において、プロットの領域に基づいて血管の状態を判定する方法の一例を説明するための図である。
【図１０】プロットの領域に基づいて血管の状態を判定する方法の一例を説明するための図である。
【発明を実施するための形態】
【００１４】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１５】
＜第１実施形態＞
図１は、本発明の第１実施形態に係る指標出力装置の概略構成を示す図である。
【００１６】
図１に示すように、指標出力装置１００は、ＣＰＵ１１０、ＲＯＭ１２０、ＲＡＭ１３０、ストレージ１４０、表示部１５０、操作部１６０および血圧取得部１７０を備えており、これらは信号をやり取りするためのバス１８０を介して相互に接続されている。
【００１７】
ＣＰＵ１１０は、ＲＯＭ１２０やストレージ１４０に記録されているプログラムにしたがって、上記各部の制御や各種の演算処理を行う。ＣＰＵ１１０は、プログラムを実行することによって、算出部および判定部として機能する。ＲＯＭ１２０は、各種プログラムや各種データを格納する。ＲＡＭ１３０は、作業領域として一時的にプログラムやデータを記憶する。
【００１８】
ストレージ１４０は、オペレーティングシステムを含む各種プログラムや、各種データを格納する。また、ストレージ１４０は、各種指標に基づいて血管の状態を判定するための各種閾値を記憶する。
【００１９】
表示部１５０は、例えば、液晶ディスプレイであり、被検者の名称や測定された血圧、算出された指標等の各種情報を表示する。
【００２０】
操作部１６０は、各種入力を行うために使用される。操作部１６０には、表示部１５０においてタッチパネル方式によりソフトウェアとして実現される操作キーや、ハードウェアとして設けられる操作ボタン等が含まれる。
【００２１】
血圧取得部１７０は、血圧を測定するためのカフ、プローブ等と接続され、被検者の最低血圧等の血圧値を取得する。たとえば、血圧取得部１７０は、被検者の上腕に装着されたカフから上肢の最低血圧を取得し、被検者の足関節に装着されたカフから下肢の最低血圧を取得する。血圧取得部１７０は、被検者の左右両方の上腕および足関節の血圧を取得してもよく、左右のいずれか一方の血圧を取得してもよい。また、血圧取得部１７０は、１つのカフを用いて各測定部位における血圧を順次取得してもよく、あるいは、複数のカフを用いて、複数の測定部位における血圧を一度に取得してもよい。血圧値の取得方法について、詳細は後述する。
【００２２】
なお、指標出力装置１００は、上記構成要素以外の構成要素を含んでいてもよく、あるいは、上記構成要素のうちの一部が含まれていなくてもよい。
【００２３】
上記のように構成された指標出力装置１００は、生体の上肢の最低血圧および下肢の最低血圧を取得し、血管の状態を判定するための指標として、上肢の最低血圧に対する下肢の最低血圧の比（以下、ｄＡＢＩと称する。）を算出して出力する。以下、指標出力装置１００の作用について説明する。
【００２４】
まず、最低血圧を含む血圧値の測定方法と、血管の状態を判定するための指標としてｄＡＢＩを用いる利点について説明する。
【００２５】
図２は、血圧値の測定方法を説明するための図である。
【００２６】
図２には、正常な血管および石灰化した血管について、被検者の上腕部等の測定部位に装着したカフ圧と、カフにより検出される脈波振幅との関係が示されている。図２において、（ａ）は、カフ圧の大きさを示す。（ｂ）は、正常な血管において（ａ）に示すカフ圧に対応して検出される脈波振幅を示す。（ｃ）は、石灰化した血管において（ａ）に示すカフ圧に対応して検出される脈波振幅を示す。
【００２７】
本実施形態では、図２（ａ）のグラフの左側から右側に示すように、カフ圧をゼロにした状態から徐々に加圧していき、その間にカフにより検出される脈波振幅に基づいて、血圧を測定する。また、本実施形態では、最初に平均血圧を測定し、続いて平均血圧を測定した際の脈波振幅を用いて最低血圧、最高血圧を測定する。
【００２８】
まず、図２（ｂ）を参照して、正常な血管における平均血圧、最低血圧、最高血圧および脈圧の測定について説明する。
【００２９】
平均血圧は、脈波振幅が最大値となった時点のカフ圧を取得することによって測定される。図２（ｂ）のグラフのＡ時点に示すように、カフ圧が低いうちは、カフと上腕部等との接触が十分でないため、脈波は検出されない。Ｂ時点に示すように、カフ圧がある程度かかると、脈波が検出され始める。その後しばらくは、カフ圧の上昇に伴って、検出される脈波振幅も増加する。Ｃ時点に示すように、カフ圧が十分に上昇し、血管の外圧と内圧の差が等しくなると、脈波振幅は最大値に到達する。このときのＣ時点におけるカフ圧が、平均血圧として取得される。脈波振幅が最大値に到達したか否かの判断は、たとえば、脈波振幅の最大値が一定時間更新されないことにより行われる。このとき、脈波振幅の増減量や増減率、増減のパターン等が考慮されてもよい。その後、カフ圧をさらに高めると、血管が圧迫されて脈波振幅は減少する。
【００３０】
最低血圧は、平均血圧が取得された際の脈波振幅の最大値に基づいて取得される。具体的には、まず、脈波振幅の最大値から所定の割合を差し引いた大きさの脈波振幅が、最低血圧時の脈波振幅として算出される。所定の割合は、測定機器の構成や測定環境等の各種条件に応じた値を適宜設定できる。カフ圧の変化に伴って変化する脈波振幅が、算出された最低血圧時の脈波振幅に初めて到達した時点のカフ圧が、最低血圧として取得される。図２（ｂ）の例では、平均血圧が取得された際の脈波振幅の最大値がＸであり、Ｘから所定の割合を差し引いた大きさがＹである。したがって、脈波振幅が最大値に到達する前にＹになったＤ時点でのカフ圧が、最低血圧として取得される。このように、本実施形態において、最低血圧は、平均血圧が取得された時点で取得可能である。
【００３１】
最高血圧は、最低血圧と同様に、平均血圧が取得された際の脈波振幅の最大値に基づいて取得される。具体的には、脈波振幅の最大値から所定の割合を差し引いた大きさの脈波振幅が、最高血圧時の脈波振幅として算出される。所定の割合は、測定機器の構成や測定環境等の各種条件に応じた値を適宜設定できる。カフ圧の変化に伴って変化する脈波振幅が、最大値となった後、算出された最高血圧時の脈波振幅まで下がった時点のカフ圧が、最高血圧として取得される。図２（ｂ）の例では、平均血圧が取得された際の脈波振幅の最大値がＸであり、Ｘから所定の割合を差し引いた大きさがＺである。したがって、脈波振幅が最大値に到達した後にＺになったＥ時点でのカフ圧が、最高血圧として取得される。このように、本実施形態において、最高血圧は、平均血圧が取得された時点から、さらにカフ圧を高めて、脈波振幅がＺとなった時点で取得可能である。
【００３２】
脈圧は、上記のように求めた最高血圧と最低血圧との差分として取得される。
【００３３】
次に、石灰化した血管の血圧値を測定する場合について、正常な血管において測定する場合と比較しながら説明する。
【００３４】
まず、平均血圧について説明する。正常な血管では、図２（ｂ）のＣ時点に示されるように、脈波振幅の増減について明確なピークが形成されている。これにより、脈波振幅が最大値となった時点を容易に特定できるため、平均血圧を明確に判断可能である。これは、正常な血管では、血管の柔軟性や弾性が保たれており、カフ圧の変化に対する血管の反応が良好なためである。一方、石灰化した血管では、図２（ｃ）に示されるように、脈波振幅が最大値付近で高止まりしており、明確なピークが形成されていない。これは、血管の柔軟性や弾性が損なわれているため、カフ圧の変化に対する血管の反応が良好でないためである。したがって、石灰化した血管では、脈波振幅が最大値に到達した時点を明確に判断できず、平均血圧を正確に判断することは困難である。
【００３５】
次に、最高血圧について説明する。正常な血管では、図２（ｂ）のＣ時点からＥ時点において示されるように、最高血圧を測定するためにカフ圧を高めた際、動脈が適切に圧迫され、脈波振幅がスムーズに減少する。一方、石灰化した血管では、図２（ｃ）の右側に示されるように、最高血圧を測定するためにカフ圧を高めた際、動脈が適切に圧迫されないため、正常な血管に比べて脈波振幅の減少度合いが緩やかになる。すなわち、石灰化した血管では、カフ圧を高めても、脈波振幅が高い状態が維持される。その結果、石灰化した血管では、脈波振幅が最大値から所定の割合を差し引いた大きさになる時点が、正常な血管の場合に比べて、図２（ｃ）中の右側、すなわちカフ圧が高い方にずれることになる。したがって、石灰化した血管では、最高血圧が本来の値よりも高い値として測定されてしまう。
【００３６】
その一方、最低血圧については、図２に示すように、正常な血管と石灰化した血管との差異が少なく、石灰化による影響を受けずに安定した結果を得ることができる。この理由について、以下に詳細に説明する。
【００３７】
図３は、正常な血管および石灰化した血管における圧−血管容量曲線である。
【００３８】
図３の横軸は、血管の内圧と外圧との差分（内圧−外圧）を示し、縦軸は、血管容量を示す。実線のグラフは、正常な血管における容量の変化を示し、点線のグラフは、石灰化した血管における容量の変化を示す。
【００３９】
図３において、横軸においてゼロよりも左側にあるマイナスの部分は、内圧−外圧の値がマイナスであるため、内圧よりも外圧の方が大きい状態を示している。これは、カフ圧が高い状態に相当する。一方、横軸においてゼロよりも右側にあるプラスの部分は、内圧−外圧の値がプラスであるため、外圧よりも内圧の方が大きい状態を示している。これは、カフ圧が低い状態に相当する。したがって、横軸において左側へ進むほど外圧が高い状態、すなわちカフ圧が高く最高血圧に近い状態を示しており、右側へ進むほど外圧が低い状態、すなわちカフ圧が低く最低血圧に近い状態を示している。たとえば、本実施形態において、カフ圧をゼロから徐々に加圧する場合、図３のグラフの右側から左側に遷移することになる。
【００４０】
また、横軸の値がゼロの部分は、血管の内圧と外圧とが等しい状態を示しており、この状態で測定される血圧が平均血圧である。なお、血管の内圧と外圧との差分は、拍動により随時変化している。したがって、横軸の値がゼロの状態では、実際の内圧と外圧との差分は、太線および両矢印で示す範囲内で随時変動しており、平均がゼロになっている。たとえば、拍動により血管の内圧が高くなっている場合、内圧と外圧との差分は、右側の太線により示される値となり、血管容量も対応して大きな値となる。一方、拍動により内圧が低くなっている場合、内圧と外圧との差分は、左側の太線により示される値となり、血管容量も対応して小さな値となる。
【００４１】
図３の実線グラフにより示されるように、正常な血管の場合、最高血圧に近い状態であるグラフの左側では、曲線の傾きは小さく、血管容量の変化率は小さい。平均血圧に近い状態であるグラフの中央付近では、曲線の傾きは急激に大きくなり、血管容量の変化率は急激に大きくなる。最低血圧に近い状態であるグラフの右側では、曲線の傾きは小さく、血管容量の変化率は小さい。
【００４２】
一方、図３の点線グラフにより示されるように、石灰化した血管の場合、グラフの左側からグラフの中央付近にかけて、曲線の傾きはある程度の大きさを保ったまま定常的に推移しており、正常な血管の場合とは曲線の傾きが大きく異なっている。すなわち、最高血圧および平均血圧に近い状態では、石灰化した血管と正常な血管とにおいて、血管容量の変化率が大きく異なることが示されている。これは、石灰化した血管は、正常な血管とは異なり、血管の柔軟性や弾性が損なわれて硬化しているため、カフ圧が高い場合に、カフ圧に対して柔軟に対応できないためである。
【００４３】
これに対して、最低血圧に近い状態であるグラフの右側では、石灰化した血管の場合においても曲線の傾きは小さく、正常な血管と同程度の傾きになっている。すなわち、最低血圧に近い状態では、石灰化した血管と正常な血管とにおいて、血管容量の変化率の差異が少なく、血管の挙動の差異が少ないことが示されている。このように、石灰化した血管においても、最低血圧に近い状態では石灰化による影響を受けにくく、正常な血管と同様の挙動を示している。したがって、血管の状態を判定するための指標としてｄＡＢＩを用いることにより、石灰化した血管においても、正常な血管と同様に、血管の状態を適切に判定できる。
【００４４】
（指標出力装置１００における処理の概要）
次に、第１実施形態に係る指標出力装置１００における処理の手順について説明する。
【００４５】
図４は、指標出力装置における処理の手順を示すフローチャートである。図５は、第１実施形態に係る指標出力装置で表示される画面の例を示す図である。図４のフローチャートに示される指標出力装置１００の各処理は、指標出力装置１００のストレージ１４０にプログラムとして記憶されており、ＣＰＵ１１０が各部を制御することにより実行される。
【００４６】
まず、指標出力装置１００は、血圧取得部１７０を制御して、被検者の上肢および下肢の最低血圧を取得する（ステップＳ１０１）。具体的には、指標出力装置１００は、被検者の上腕および足関節等に装着されたカフ等の測定装置から、被検者の上肢および下肢の最低血圧を取得する。指標出力装置１００は、左右両方の上肢および下肢について最低血圧を取得してもよく、左右いずれかの上肢および下肢について最低血圧を取得してもよい。指標出力装置１００は、取得した上肢および下肢の最低血圧を、ストレージ１４０に記憶する。
【００４７】
続いて、指標出力装置１００は、ｄＡＢＩを算出する（ステップＳ１０２）。具体的には、指標出力装置１００は、ステップＳ１０１の処理で取得した上肢の最低血圧および下肢の最低血圧を用いて、ｄＡＢＩを算出する。指標出力装置１００は、算出したｄＡＢＩを、ストレージ１４０に記憶する。
【００４８】
続いて、指標出力装置１００は、ｄＡＢＩを出力する（ステップＳ１０３）。具体的には、指標出力装置１００は、ステップＳ１０２の処理においてストレージ１４０に記憶されたｄＡＢＩを、たとえば図５に示すような画面によって表示部１５０に表示する。図５の画面例では、被検者Ｐ、Ｑ、Ｒ、Ｓの４人の被検者について、ｄＡＢＩが表示されている。医療スタッフ等のユーザーは、たとえば、画面に表示されたｄＡＢＩの値を確認し、予め設定された所定の閾値と比較することにより、被検者の血管の状態を判定できる。判定方法や判定に用いる閾値について、詳細は後述する。
【００４９】
続いて、指標出力装置１００は、ｄＡＢＩに基づいて血管の状態を判定する（ステップＳ１０４）。具体的には、指標出力装置１００は、ステップＳ１０２においてストレージ１４０に記憶されたｄＡＢＩを、ストレージ１４０に予め記録された所定の閾値と比較することにより、血管の状態を判定する。指標出力装置１００は、判定した結果を表示部１５０に表示する。血管の状態の判定に用いる所定の閾値としては、たとえば、公知であるＡＢＩを用いた判定方法と同様に、０．９および１．４の２つの値を、第１の閾値および第２の閾値として用いてもよい。この場合、０．９以下の場合は狭窄や閉塞の可能性があると判定され、０．９より大きく１．４より小さい場合は正常と判定され、１．４以上の場合は石灰化等の異常の可能性があると判定される。あるいは、ＡＢＩよりもｄＡＢＩの方が低い値となる傾向を考慮して、たとえば、０．９および１．４よりもそれぞれ若干小さい０．８および１．３等の値を設定してもよい。この場合、０．８以下の場合は狭窄や閉塞の可能性があると判定され、０．８より大きく１．３より小さい場合は正常と判定され、１．３以上の場合は石灰化等の異常の可能性があると判定される。なお、閾値の値や個数は上記の例に限定されず、実験や計算等により求めた値や個数を適宜設定して血管の状態を判定できる。たとえば、閾値の個数を増やして判定を行うことにより、より多段階の詳細な判定を行うことができる。
【００５０】
図５に示す例では、０．８および１．３をそれぞれ第１の閾値および第２の閾値として設定して判定を行っている。被検者Ｐ、Ｑ、Ｓについては、ｄＡＢＩが０．８〜１．３の範囲に含まれているため、血管の状態は正常であると判定されている。したがって、特に警告表示等は行われていない。一方、被検者Ｒについては、ｄＡＢＩが０．７であり、第１の閾値の０．８以下であるため、血管に狭窄や閉塞の可能性があると判定されている。そのため、被検者Ｒの周囲に点線の四角が表示されている。この表示により、医療スタッフ等のユーザーは、被検者Ｒの血管に狭窄や閉塞の可能性があることを容易に把握できる。
【００５１】
以上のように、第１実施形態の指標出力装置１００によれば、生体の上肢の最低血圧および下肢の最低血圧を取得して、ｄＡＢＩを算出し、算出したｄＡＢＩを、血管の状態を判定するための指標として出力する。ｄＡＢＩは血管の石灰化の影響を受けにくいため、石灰化が発生している場合でも、血管の状態を適切に判定可能な指標を出力できる。したがって、たとえばユーザーがｄＡＢＩを確認することにより、石灰化が発生している場合でも、血管の状態を適切に判定できる。
【００５２】
また、指標出力装置１００は、ｄＡＢＩに基づいて生体における血管の状態を判定する。これにより、ユーザーは血管の状態を容易に把握できる。また、算出されたｄＡＢＩに基づいて自動的に血管の状態が判定されるため、判定結果に基づいて自動的に次工程の必要な処置を行うことも可能となる。
【００５３】
また、指標出力装置１００は、ｄＡＢＩが、第１の閾値以下または第２の閾値以上であるか否かを判定することにより血管の状態を判定する。これにより、血管に狭窄や閉塞等の異常があるか否かを適切に判定できる。
【００５４】
また、指標出力装置１００は、ｄＡＢＩを表示する。これにより、ユーザーは表示を確認することによって血管の状態を容易に把握できる。
【００５５】
また、指標出力装置１００は、血圧を測定する方式として、カフ圧をゼロの状態から徐々に高くする昇圧方式を用いている。本実施形態では、平均血圧を取得した時点で最低血圧を取得でき、ｄＡＢＩに基づいて血管の状態を判定できるため、カフ圧は血管の内圧と同程度まで高めればよく、カフ圧を必要以上に高くする必要がない。したがって、たとえば血管の石灰化が発生して血管が損傷しやすくなっている被検者に対しても、血管に必要以上の負荷をかけることなく安全に血管の状態を判定することができる。
【００５６】
また、指標出力装置１００は、ｄＡＢＩを血管の状態を判定するための指標として出力している。最低血圧は、最高血圧に比べて、生体の測定部位による値のバラツキが少なく、測定部位による影響を受けずに安定した結果を得られることが見出された。したがって、ｄＡＢＩを用いることにより、測定部位による影響を抑制して、安定的に血管の状態を判定することができる。たとえば怪我等により上腕等の特定の部位における最低血圧の測定が困難な被検者に対しても、前腕等の他の部位で最低血圧を測定することにより血管の状態を適切に判定でき、被検者の状態に合わせて柔軟に判定を行うことができる。
【００５７】
なお、上記の実施形態において、血圧取得部１７０は、カフ等の測定機器と通信するものとして説明したが、これに限定されず、血圧取得部１７０がカフ等の測定機器を含んでいてもよい。
【００５８】
また、上記の実施形態において、上肢および下肢の血圧として、それぞれ上腕および足関節の血圧を取得する例について説明したが、これに限定されない。たとえば、上肢としては、前腕や手首、手指等の血圧を取得してもよく、下肢としては、大腿や下腿、足趾等の血圧を取得してもよい。
【００５９】
また、上記の実施形態において、血圧の測定は、カフ圧をゼロから徐々に高くする昇圧方式により行う例について説明したが、これに限定されない。たとえば、カフ圧を高めた状態から徐々に低くする減圧方式やスッテプ減圧方式により行ってもよい。
【００６０】
また、上記の実施形態において、最低血圧の測定は、脈波振幅の最大値から所定の割合を差し引いた大きさの脈波振幅が検出された時点のカフ圧から取得するものとして説明したが、これに限定されない。たとえば、聴診器等を用いてコロトコフ音を確認することにより測定してもよい。
【００６１】
また、上記の実施形態において、算出されたｄＡＢＩを表示部に表示して出力する例について説明したが、これに限定されない。たとえば、ｄＡＢＩを音声として出力してもよく、あるいは、ｄＡＢＩを示すデータを他の分析機器等に送信してもよい。また、ｄＡＢＩをそのまま出力するだけでなく、「高い」、「低い」等の指標に変換して出力してもよく、あるいは、「正常」、「異常」、「狭窄・閉塞の可能性あり」といった判定結果を示すメッセージや音声等に変換して出力してもよい。
【００６２】
＜第２実施形態＞
次に、第２実施形態の指標出力装置１００について説明する。
【００６３】
第１実施形態では、指標出力装置１００がｄＡＢＩを指標として出力する場合について説明した。しかし、指標出力装置１００が出力する指標は、ｄＡＢＩのみに限定されない。たとえば、ｄＡＢＩと、ＡＢＩ、ｍＡＢＩ、ｐｐＡＢＩを組合せて出力してもよい。第２実施形態では、ｄＡＢＩと、ＡＢＩ、ｍＡＢＩまたはｐｐＡＢＩとを組合せて出力する場合について説明する。
【００６４】
第２実施形態の指標出力装置１００の構成は、図１に示す第１実施形態の指標出力装置１００の構成と同様である。以下においては、第１実施形態と重複する部分の説明は省略し、第１実施形態と異なる部分を中心に説明する。
【００６５】
第２実施形態の指標出力装置１００において、血圧取得部１７０は、最低血圧に加えて、最高血圧、平均血圧および脈圧を取得する。
【００６６】
第２実施形態の指標出力装置１００で実行される処理は、図４のフローチャートに示される第１実施形態の指標出力装置１００と基本的に同様である。以下では、第１実施形態と異なる処理について、詳細に説明する。
【００６７】
図６は、最低血圧の比と最高血圧の比とを組合せて表示する画面の例を示す図である。図７は、最低血圧の比と平均血圧の比とを組合せて表示する画面の例を示す図である。図８は、最低血圧の比と脈圧の比とを組合せて表示する画面の例を示す図である。
【００６８】
まず、指標出力装置１００は、ステップＳ１０１の処理において、被検者の上肢および下肢それぞれについて、最低血圧、最高血圧、平均血圧および脈圧を取得する。最低血圧、最高血圧、平均血圧および脈圧の取得方法は、第１実施形態で説明した通りである。
【００６９】
続いて、指標出力装置１００は、ステップＳ１０２の処理において、上肢に対する下肢のｄＡＢＩ、ＡＢＩ、ｍＡＢＩおよびｐｐＡＢＩをそれぞれ算出する。
【００７０】
続いて、指標出力装置１００は、ステップＳ１０３の処理において、ｄＡＢＩと、ＡＢＩ、ｍＡＢＩおよびｐｐＡＢＩとを組合せてそれぞれ表示する。具体的には、指標出力装置１００は、図６〜図８に示すような画面を表示部１５０に表示する。図６〜図８の例では、多数の被検者における算出結果が２次元マトリクス上にプロットされている。たとえば、図６の画面において、縦軸は最低血圧の比の算出結果であり、横軸は最高血圧の比の算出結果である。医療スタッフ等のユーザーは、たとえば、画面に表示されたプロットの位置により、被験者の血管の状態を判定できる。判定の方法についての詳細は後述する。なお、指標出力装置１００は、ユーザーの指示に基づいて図６〜図８に示す画面を切り替えて表示してもよく、あるいは、これらの画面を同時に表示してもよい。
【００７１】
続いて、指標出力装置１００は、ステップＳ１０４の処理において、ＡＢＩ、ｍＡＢＩおよびｐｐＡＢＩと、ｄＡＢＩとを組合せて血管の状態を判定する。
【００７２】
たとえば、図６の画面中の点線で囲まれたプロットＴを例に挙げて説明する。プロットＴについて、横軸により示されるＡＢＩは、１．２程度である。したがって、従来のＡＢＩを用いた判定方法のみを適用した場合、ＡＢＩが０．９〜１．４の範囲に含まれているため、血管の状態は正常であると判定される。しかし、プロットＴについて、縦軸により示されるｄＡＢＩは、０．７５程度である。したがって、第１実施形態において説明されたｄＡＢＩを用いた判定方法を適用した場合、ｄＡＢＩが０．８以下であるため、閉塞や狭窄の可能性があると判定することができる。さらに、ｄＡＢＩの値が小さいにも関わらず、ＡＢＩの値が大きくなっていることから、下肢の血管において石灰化が発生している可能性があると判定することができる。これは、上述のように、血管の石灰化が発生すると、ＡＢＩが本来よりも高く評価されるため、下肢の血管において石灰化が発生した場合、ＡＢＩが大きくなるためである。このような判定方法を図６の画面全体に適用して、プロットが位置する領域に基づいて血管の状態を判定することも可能である。以下、プロットの領域に基づいて血管の状態を判定する方法について、詳細に説明する。
【００７３】
図９は、図６に示す画面において、プロットの領域に基づいて血管の状態を判定する方法の一例を説明するための図である。
【００７４】
図９に示すように、プロットされる領域は、たとえば、領域（１）〜領域（９）の９つの領域に区分される。領域を縦方向に区切る境界は、ＡＢＩによって血管の状態を判定する閾値として、０．９および１．４の位置に設定している。また、領域を横方向に区切る境界は、ｄＡＢＩによって血管の状態を判定する閾値として、０．８および１．３の位置に設定している。以下、プロットが各領域にある場合の判定方法について説明する。
【００７５】
プロットが領域（１）にある場合、ＡＢＩが０．９以下であり、ｄＡＢＩが０．８以下である。この場合、ＡＢＩを用いた判定およびｄＡＢＩを用いた判定の両方において血管の閉塞や狭窄が発生している可能性があると判定される。したがって、血管の閉塞や狭窄が発生している可能性が高いと判定できる。
【００７６】
プロットが領域（２）にある場合、ＡＢＩが０．９〜１．４の正常の範囲にあるものの、ｄＡＢＩが０．８以下である。この場合、上述した図６におけるプロットＴと同様の理由により、血管の閉塞や狭窄が発生している可能性があり、さらに石灰化が発生している可能性があると判定できる。
【００７７】
プロットが領域（３）にある場合、ＡＢＩが１．４以上であり、ｄＡＢＩが０．８以下である。この場合、領域（２）と同様に、血管の閉塞や狭窄が発生している可能性があり、さらに石灰化が発生している可能性があると判定できる。また、ＡＢＩが１．４以上であり領域（２）の場合よりも高いため、石灰化が発生している可能性がより高いと判定できる。
【００７８】
プロットが領域（４）にある場合、ＡＢＩが０．９以下であり、ｄＡＢＩが０．８〜１．３の範囲にある。この場合、ＡＢＩを用いた判定では、血管の閉塞や狭窄が発生している可能性があると判定され、ｄＡＢＩを用いた判定では、正常と判定される。したがって、２つの判定における判定結果が異なっているため、何らかの異常があると判定でき、検査のやり直しや他の検査を行う等の対応をとることができる。
【００７９】
プロットが領域（５）にある場合、ＡＢＩが０．９〜１．４の正常の範囲であり、ｄＡＢＩが０．８〜１．３の正常の範囲にある。この場合、ＡＢＩを用いた判定および最低血圧を用いた判定の両方において血管の状態が正常であると判定される。したがって、血管の状態が正常であることをよく確実に判定できる。
【００８０】
プロットが領域（６）にある場合、ＡＢＩが１．４以上であり、ｄＡＢＩが０．８〜１．３の正常の範囲である。この場合、ＡＢＩを用いた判定では、血管の石灰化等の異常が発生している可能性があると判定され、ｄＡＢＩを用いた判定では、正常と判定される。したがって、血管の閉塞や狭窄が発生している可能性は低いが、血管の石灰化が発生している可能性があると判定できる。
【００８１】
プロットが領域（７）〜（９）にある場合、ｄＡＢＩが１．３以上であり、血管の状態や測定方法、測定機器等に何らかの異常があると判定できる。この場合、検査のやり直しや測定方法、測定機器の確認、他の検査を行う等の対応をとることができる。
【００８２】
以上のように、第２実施形態の指標出力装置１００によれば、ＡＢＩ、ｍＡＢＩおよびｐｐＡＢＩのうち少なくとも一つをｄＡＢＩと共に表示する。これにより、ユーザーは異なる指標を同時に確認することができ、より正確かつ迅速に血管の状態を判定できる。
【００８３】
また、指標出力装置１００は、ＡＢＩ、ｍＡＢＩおよびｐｐＡＢＩのうちの少なくとも一つとｄＡＢＩとを組合せて血管の状態を判定する。これにより、異なる指標に基づく複数の判定方法を組合せて血管の状態を判定することができ、より正確に判定を行うことができる。
【００８４】
図１０は、市中のクリニック等でシンプルなスクリーニングを行うことを想定し、閉塞・狭窄の判定だけに限定したより簡便なプロットの領域に基づいて血管の状態を判定する方法の一例を説明するための図である。
図１０に示すように、プロットされる領域は、たとえば、領域（１１）〜領域（１４）の４つの領域に区分される。領域を縦方向に区切る境界は、ＡＢＩによって血管の状態を判定する閾値として、０．９の位置に設定している。また、領域を横方向に区切る境界は、ｄＡＢＩによって血管の状態を判定する閾値として、０．８の位置に設定している。以下、プロットが各領域にある場合の判定方法について説明する。
【００８５】
プロットが領域（１１）にある場合、ＡＢＩが０．９以下であり、ｄＡＢＩが０．８以下である。この場合、ＡＢＩを用いた判定およびｄＡＢＩを用いた判定の両方において血管の閉塞や狭窄が発生している可能性があると判定される。したがって、血管の閉塞や狭窄が発生している可能性が高いと判定できる。
【００８６】
プロットが領域（１２）にある場合、ＡＢＩが０．９以上であり、ｄＡＢＩが０．８以下である。この場合、血管の閉塞や狭窄が発生している可能性があり、精密検査を要すると判定できる。
【００８７】
プロットが領域（１３）にある場合、ＡＢＩが０．９以下であり、ｄＡＢＩが０．８以上である。この場合、ＡＢＩを用いた判定では、血管の閉塞や狭窄が発生している可能性があり、精密検査を要すると判定できる。
【００８８】
プロットが領域（１４）にある場合、ＡＢＩが０．９以上であり、ｄＡＢＩが０．８以上である。
なお、上記の実施形態において、プロットされる領域を９つや４つに分割して判定する例について説明したが、これに限定されない。領域を分割する数や位置は、各指標について判定するために設定される閾値の数や値に応じて適宜変動させることができる。
【００８９】
また、上記の実施形態において、２つの指標の算出結果を２次元マトリクス上にプロットする例について説明したが、これに限定されない。たとえば３つの指標の算出結果を３次元マトリクス上にプロットして表示してもよく、あるいは４つの指標を棒グラフや４角形状のグラフとして表示してもよい。
【００９０】
上述した実施形態に係る指標出力装置における各種処理を行う手段および方法は、専用のハードウェア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、指標出力装置の一機能としてその装置のソフトウェアに組み込まれてもよい。
【符号の説明】
【００９１】
１００  指標出力装置、
１１０  ＣＰＵ、
１２０  ＲＯＭ、
１３０  ＲＡＭ、
１４０  ストレージ、
１５０  表示部、
１６０  操作部、
１７０  血圧取得部、
１８０  バス。
【図１】
2016214303.tif 000003
【図２】
2016214303.tif 000004
【図３】
2016214303.tif 000005
【図４】
2016214303.tif 000006
【図５】
2016214303.tif 000007
【図６】
2016214303.tif 000008
【図７】
2016214303.tif 000009
【図８】
2016214303.tif 000010
【図９】
2016214303.tif 000011
【図１０】
2016214303.tif 000012